(57)【要約】【課題】、施工時間の短縮とコスト削減を図ることができるユニットバスの設置構造を提供すること。【解決手段】浴槽１とこれに隣接して設置される洗い場パン１０を含んで構成されるユニットバスの前記浴槽１と前記洗い場パン１０の設置構造として、前記洗い場パン１０をこれに取り付けられた複数の第１の支持脚１４，１５によって支持して自立させ、一端が第２の支持脚６によって支持されたフレーム５の他端を前記洗い場パン１０に向かって延設し、その先端を前記洗い場パン１０の前記第１の支持脚１４近傍に形成された差込部に差し込んでこれを第１の支持脚１４によって支持するとともに、前記浴槽１を前記フレーム５に載置することによって該浴槽１と前記洗い場パン１０を設置する。【選択図】図１４
2010104627.tif 000002
【特許請求の範囲】
【請求項１】
浴槽とこれに隣接して設置される洗い場パンを含んで構成されるユニットバスの前記浴槽と前記洗い場パンの設置構造であって、
前記洗い場パンをこれに取り付けられた複数の第１の支持脚によって支持して自立させ、一端が第２の支持脚によって支持されたフレームの他端を前記洗い場パンに向かって延設し、その先端を前記洗い場パンの前記第１の支持脚近傍に形成された差込部に差し込んでこれを第１の支持脚によって支持するとともに、前記浴槽を前記フレームに載置することによって該浴槽と前記洗い場パンを設置することを特徴とするユニットバスの設置構造。
【請求項２】
前記浴槽下部に形成された位置決め凹部によって前記フレームに嵌合することを特徴とする請求項１記載のユニットバスの設置構造。
【請求項３】
前記位置決め凹部は、予め前記浴槽下部に立設されたリブに形成することを特徴とする請求項２記載のユニットバスの設置構造。
【請求項４】
前記前記位置決め凹部は、前記浴槽下部に立設されたリブを切り欠いて形成したことを特徴とする請求項２記載のユニットバスの設置構造。
【請求項５】
前記洗い場パンの下面に形成されたリブの一部を切り欠き、前記第１の支持脚を前記リブの切り欠かれた部分に取り付け、前記第１の支持脚のプレート部とリブの切欠き部によって形成される空間によって前記差込部を構成したことを特徴とする請求項１〜４の何れかに記載のユニットバスの設置構造。
【発明の詳細な説明】
【技術分野】
【０００１】
本発明は、浴槽とこれに隣接して設置される洗い場パンを含んで構成されるユニットバスの設置構造に関するものである。
【背景技術】
【０００２】
ユニットバスは、浴槽とこれに隣接して設置される洗い場パン、天井、壁等をユニット化して予め工場で成型しておき、これらを施工現場に搬入して組み立てることによって構成されるものであって、施工性が高く、階下への水漏れのリスクが低いために戸建住宅やマンション等の集合住宅を含む種々の建築物に設置されている。
【０００３】
ところで、斯かるユニットバスの浴槽と洗い場パンの現場での設置に関して、例えば特許文献１，２には、洗い場パンと浴槽据付用台座とを一体成形して成る洗い場付浴槽本体に開口部を形成し、この開口部内に浴槽を設置する方式が提案されている。
【０００４】
ところが、洗い場パンと浴槽据付用台座とを一体成形して成る洗い場付浴槽本体を使用するとコストアップを免れず、より簡易で低コストの設置構造が望まれる。
【０００５】
そこで、単体の浴槽と洗い場パンをそれぞれ独立のフレームを用いて設置する構造が採用される場合がある。
【特許文献１】特開平３−０７２７８７号公報
【特許文献２】特開２００５−０１６２６３号公報
【発明の開示】
【発明が解決しようとする課題】
【０００６】
前述のように単体の浴槽と洗い場パンをそれぞれ独立のフレームを用いて設置する場合、フレームは浴槽側と洗い場パン側とで各々独立しており、これらを施工現場で組み立てて各々独立にレベル出しを行っていたため、多くの手間と時間及びコストを要するという問題があった。特に、組み立て後のレベル出しは、フレームの組立精度によって左右されていた。
【０００７】
本発明は上記問題に鑑みてなされたもので、その目的とする処は、施工時間の短縮とコスト削減を図ることができるユニットバスの設置構造を提供することにある。
【課題を解決するための手段】
【０００８】
上記目的を達成するため、請求項１記載の発明は、浴槽とこれに隣接して設置される洗い場パンを含んで構成されるユニットバスの前記浴槽と前記洗い場パンの設置構造であって、前記洗い場パンをこれに取り付けられた複数の第１の支持脚によって支持して自立させ、一端が第２の支持脚によって支持されたフレームの他端を前記洗い場パンに向かって延設し、その先端を前記洗い場パンの前記第１の支持脚近傍に形成された差込部に差し込んでこれを第１の支持脚によって支持するとともに、前記浴槽を前記フレームに載置することによって該浴槽と前記洗い場パンを設置することを特徴とする。
【０００９】
請求項２記載の発明は、請求項１記載の発明において、前記浴槽下部に形成された位置決め凹部によって前記フレームに嵌合することを特徴とする。
【００１０】
請求項３記載の発明は、請求項２記載の発明において、前記位置決め凹部は、予め前記浴槽下部に立設されたリブに形成することを特徴とする。
【００１１】
請求項４記載の発明は、請求項２記載の発明において、前記前記位置決め凹部は、前記浴槽下部に立設されたリブを切り欠いて形成したことを特徴とする。
【００１２】
請求項５記載の発明は、請求項１〜４の何れかに記載の発明において、前記洗い場パンの下面に形成されたリブの一部を切り欠き、前記第１の支持脚を前記リブの切り欠かれた部分に取り付け、前記第１の支持脚のプレート部とリブの切欠き部によって形成される空間によって前記差込部を構成したことを特徴とする。
【発明の効果】
【００１３】
請求項１記載の発明によれば、共通のフレームを用いて浴槽と洗い場パンの設置が可能となり、洗い場パン側に設けられていたフレームを省略することができるため、施工性が高められ、施工時間を短縮してコストダウンを図ることができる。
【００１４】
又、複数の第１の支持脚によって支持されて自立している洗い場パンのレベル出しを行った後、フレームの先端を洗い場パンの差込部に差し込んで該先端を洗い場パン（第１の支持脚）によって支持した後、該フレームのレベル出しを洗い場パンのレベルに合わせて簡易且つ効率良く行うことができ、最後にフレーム上に浴槽をフレームに載置することによって、浴槽と洗い場パンを共通のフレームによって連結するとともに、両者のレベル出しを効率良く行うことができるため、浴槽と洗い場パンの設置を施工性良く短時間で行うことができる。そして、この場合、フレームの先端（洗い場パン側への延設端）は洗い場パン（第１の支持脚）によって支持されるため、該フレームを支持する第２の支持脚の本数を削減することができる。
【００１５】
請求項２記載の発明によれば、フレーム上に浴槽をその下面に形成された位置決め凹部がフレームに嵌合するよう載置することによって浴槽を位置決めして容易に設置することができる。
【００１６】
請求項３記載の発明によれば、浴槽下部に予め立設されたリブを有効に利用して位置決め凹部を形成することができる。
【００１７】
請求項４記載の発明によれば、フレーム上に浴槽をその下面に形成された切欠きがフレームに嵌合するよう載置することによって浴槽を位置決めして容易に設置することができる。
【００１８】
請求項５記載の発明によれば、第１の支持脚が立設された複数のプレートと洗い場パンの下面に立設されたリブによって形成される空間を差込部として利用することができ、該差込部にフレームの先端（洗い場パン側への延設端）を差し込んでこれを洗い場パン（第１の支持脚）によって支持することができ、該フレームを支持する第２の支持脚の本数を削減することができる。
【発明を実施するための最良の形態】
【００１９】
以下に本発明の実施の形態を添付図面に基づいて説明する。
【００２０】
＜実施の形態１＞
図１はフレームが嵌合された浴槽の斜視図、図２は同浴槽の底面側斜視図、図３はフレームの浴槽への嵌合要領を示す浴槽の底面側斜視図、図４は支持脚が結着されたフレームの斜視図、図５はフレームと支持脚を分解して示す斜視図、図６は洗い場パンの斜視図、図７は同洗い場パンの底面側斜視図、図８は同洗い場パン底面の分解斜視図、図９は浴槽と洗い場パンの組付要領を示す底面側分解斜視図、図１０は組付一体化された浴槽と洗い場パンの底面側斜視図、図１１は図１０のＡ部の一部を破断して示す斜視図、図１２は組付一体化された浴槽と洗い場パンの斜視図、図１３は組付一体化された浴槽と洗い場パンの底面側図、図１４は図１３のＢ−Ｂ線断面図、図１５は図１４のＣ−Ｃ線断面図、図１６は図１５のＤ部拡大詳細図である。
【００２１】
図１〜図３に示す浴槽１は、ＦＲＰ、ステンレス、ホーロー等の耐水性及び耐熱性の高い材料で一体成形されたものであって、その底部には円孔状の排水口２が開口している。又、この浴槽１の下面の長手方向両端部には、図３に示すように、短手方向に互いに平行に延びるリブ３が下方に向かって垂直に立設されており、これらのリブ３の間には位置決め凹部として短手方向に長い凹溝４がそれぞれ形成されている。尚、本実施の形態では、リブ３同士は一端で連結され、これらの間には一端が閉塞された凹溝４が形成されている。
【００２２】
そして、浴槽１の下面の長手方向両端部にそれぞれ形成された凹溝４には、鋼製の角パイプから成る直線状のフレーム５が図１及び図２に示すように嵌合されている。各フレーム５の長さは浴槽１底部の短手方向長さ（幅）よりも長く設定されており、これが浴槽１の下面に形成された凹溝４に嵌合した状態では、その一部が図示のように浴槽１の下面から側方（後述の洗い場パン１０）に向かって延設されている。
【００２３】
上記各フレーム５の浴槽１下面に形成された前記凹溝４に嵌合する部分の一端下面には、図４に示すように円柱状の第２の支持脚６が垂直に結着されており、他端下面にはネジ孔２３が形成されている。この第２の支持脚６は、図５に示すように、フレーム５とは別体に構成されており、これの下部には高さ調整用ボルト７が上下動可能に螺合している。そして、第２の支持脚６は、フレーム５の端部下面に溶着されており、その下部に螺合する高さ調整用ボルト７には２つのナット（ダブルナット）８，９が螺合しており、これらのナット８，９を緩めると高さ調整用ボルト７を自由に回すことができ、ナット８，９を締め付けると高さ調整用ボルト７の回転をロックすることができる。
【００２４】
他方、図６〜図８に示す洗い場パン１０は、樹脂の一体成形品であって、その浴槽１側の一部には円孔状の排水口１２が形成されている。そして、この洗い場パン１０の下面には、図７及び図８に示すように、格子状のリブ１３が垂直下方に立設されており、該リブ１３の前記排水口１２の両側部分（後述のようにフレーム５の先端部が差し込まれる部分）には矩形状の複数の切欠き１３ａがそれぞれ形成されている。具体的には、洗い場パン１０の長手方向に延びるリブ１３のうち、浴槽１側（図８の奥側）端部から３枚のリブ１３の左右２箇所に前記切欠き１３ａがそれぞれ形成されており、各切欠き１３ａは下方に向かって開口している。
【００２５】
又、洗い場パン１０の下面の排水口１２の左右両側（後述のように洗い場パン１０のリブ１３に形成された切欠き１３ａに差し込まれるフレーム５の先端部を下方から覆う箇所）と、浴槽１とは反対側（図７及び図８の手前側）の左右両端部には、下面に第１の支持脚の脚部１４，１５が垂直に固着された矩形の金属製板である第１の支持脚のプレート部１６，１７がそれぞれ取り付けられている。そして、左右一対の各第１の支持脚のプレート部１６の幅方向中央にはネジ挿通孔２４がそれぞれ形成されている。
【００２６】
ここで、各第１の支持脚のプレート部１６，１７の中央にそれぞれ溶着された第１の支持脚の脚部１４，１５は、フレーム５の一端に固着された前記第２の支持脚６（図１〜図５参照）と同様に円柱状に成形され、その下部には高さ調整用ボルト１８，１９がそれぞれ上下動可能に螺合している。そして、各第１の支持脚の脚部１４，１５の下部に螺合する高さ調整用ボルト１８，１９には２つのナット（ダブルナット）２０，２１が螺合しており、これらのナット２０，２１を緩めると高さ調整用ボルト１８，１９を自由に回すことができ、ナット２０，２１を締め付けると高さ調整用ボルト１８，１９の回転をロックすることができる。
【００２７】
而して、第１の支持脚の脚部１４，１５が結着された各第１の支持脚のプレート部１６，１７は、図８に示すように、その四隅に下方から挿通するネジ２２を洗い場パン１０の格子状のリブ１３にねじ込むことによって図６及び図７に示すように洗い場パン１０の下面の所定箇所に取り付けられており、該第１の支持脚のプレート部１６，１７とこれらによって塞がれる格子状のリブ１３によって形成される袋状の空間によって差込部１１（図１１参照）が構成されている。そして、各差込部１１には、リブ１３に形成された前記切欠き１３ａが開口している。
【００２８】
次に、浴槽１と洗い場パン１０の設置要領について説明する。
【００２９】
図９に示すように、浴槽１の下面に形成された左右２つの凹溝４にフレーム５を嵌合させてこれを位置決め固定し、各フレーム５の浴槽１から洗い場パン１０に向かって延出する部分を洗い場パン１０の下面に突設されたリブ１３に形成された切欠き１３ａに嵌め込み、その先端を図１１に示す差込部１１に差し込む。次に、図１０に示すように、左右の各第１の支持脚のプレート部１６に形成されたネジ挿通孔２４に下方から挿通するネジ２５を各フレーム５の端部に形成されたネジ孔２３にねじ込むと、各フレーム５の端部が洗い場パン１０に固定され、図１０〜図１４に示すように、浴槽１と洗い場パン１０が共通のフレーム５によって連結一体化される。尚、このとき、洗い場パン１０の下面に、第１の支持脚の脚部１４，１５が結着された第１の支持脚のプレート部１６，１７が予め取り付けられている。
【００３０】
上述のように各フレーム５の浴槽１から洗い場パン１０に向かって延出する部分が洗い場パン１０の下面に立設されたリブ１３に形成された切欠き１３ａに嵌め込まれ、その先端が洗い場パン１１の下面に形成された差込部１１（図１１参照）に差し込まれてネジ２５によって固定されると、該フレーム５の先端部は、図１１、図１５及び図１６に示すように、第１の支持脚のプレート部１６によって洗い場パン１０からの脱落が防がれるとともに、洗い場パン１０の下面に取り付けられた第１の支持脚の脚部１４によって支持される。
【００３１】
従って、図１４に示すように、洗い場パン１０は、その下面に取り付けられた計４つの第１の支持脚の脚部１４，１５によって床面ＦＬ上に水平に支持されて設置され、浴槽１は、左右２本のフレーム５と、各フレーム５の長手方向両端を受ける計４つの第２の支持脚６と第１の支持脚の脚部１４によって床面ＦＬ上に水平に支持されて設置される。
【００３２】
ところで、浴槽１と洗い場パン１０の設置に際しては、先ず、洗い場パン１０が計４つの第１の支持脚の脚部１４，１５によって床面ＦＬ上に自立して略水平に設置された後、各２本ずつ計４本の高さ調整用ボルト１８，１９によって洗い場パン１０のレベル出しが行われる。即ち、この洗い場パン１０のレベル出しに際しては、各高さ調整用ボルト１８，１９に螺合するナット２０，２１を緩めて高さ調整用ボルト１８，１９の回転のロックを解除した後、該高さ調整用ボルト１８，１９を回してこれらを第１の支持脚の脚部１４，１５に対してそれぞれ上下動させ、洗い場パン１０の高さを調整してそのレベル出しを行う。
【００３３】
上述のようにして洗い場パン１０の設置とレベル出しが終了すると、２本のフレーム５をその一端に結着された支持脚６を介して床面ＦＬ上に設置し、その他端を洗い場パン１０の下面に突設されたリブ１３に形成された切欠き１３ａに嵌め込み、その先端を差込部１１に差し込んで該フレーム５を略水平に支持する。そして、支持脚６に設けられた高さ調整用ボルト７を回してフレーム５のレベル出しを行うが、このとき、洗い場パン１０のレベル出しは既になされているため、フレーム５のレベル出しは該フレーム５の高さを洗い場パン１０のレベルに合わせることによって簡易且つ効率良く行うことができ、最後にフレーム５上に浴槽１をその下面に形成された凹溝４がフレーム５に嵌合するよう載置することによって設置することができる。
【００３４】
以上のように、本発明に係る設置構造によれば、共通のフレーム５を用いて浴槽１と洗い場パン１０の設置が可能となり、洗い場パン１０側に従来設けられていたフレームを省略することができるため、施工性が高められ、施工時間を短縮してコストダウンを図ることができる。
【００３５】
又、複数の第１の支持脚の脚部１４，１５によって支持されて自立している洗い場パン１０のレベル出しを行った後、フレーム５の先端を洗い場パン１０の差込部１１に差し込んでネジ２５によって固定することによって該先端を洗い場パン１０（第１の支持脚の脚部１４）によって支持した後、該フレーム５のレベル出しを洗い場パン１０のレベルに合わせて簡易且つ効率良く行うことができ、最後にフレーム５上に浴槽１をその下面に形成された凹部溝４がフレーム５に嵌合するよう載置することによって、浴槽１と洗い場パン１０を共通のフレーム５によって連結するとともに、両者のレベル出しを効率良く行うことができるため、浴槽１と洗い場パン１０の設置を施工性良く短時間で行うことができる。そして、この場合、フレーム５の先端（洗い場パン１０側への延設端）は洗い場パン１０（第１の支持脚の脚部１４）によって支持されるため、該フレーム５を支持する第２の支持脚６の本数を削減することができる。
【００３６】
尚、以上の実施の形態では、各フレーム５の一端に立設される第２の支持脚６を円柱状としたが、図１７に示すように第２の支持脚６を角柱状とし、左右の第２の支持脚６に鋼板製のステー２６の両端を各２本のネジ２７によって固定することによって該ステー２６を左右の第２の支持脚６間に架設し、このステー２６によって第２の支持脚６を補強するようにしても良い。ここで、ステー６として剛性の高い横断面Ｌ字状のアングル材を使用すれば、更に高い補強効果を得ることができる。
【００３７】
＜実施の形態２＞
次に、本発明の実施の形態２を図１８及び図１９に示す。
【００３８】
図１８は本発明の実施の形態２に係るフレームの嵌合構造を示す浴槽の底面側斜視図、図１９はフレームが嵌合された浴槽の底面側斜視図であり、本実施の形態では、フレーム５’を角パイプで枠体状に成形された一体物とし、そのコーナー部に第２の支持脚６を垂直に結着している。そして、図１８に示すように、浴槽１の下面にはリブ３’によって補強フレーム５’の外形に沿う凹溝４’を形成し、図１９に示すように、この凹溝４’に補強フレーム５’の一部が嵌合するよう構成している。
【００３９】
而して、本実施の形態においても、共通のフレーム５’を用いて浴槽１と洗い場パン１０の設置が前記実施の形態１と同様になされるため、前記実施の形態１と同様の効果が得られる。
【００４０】
＜実施の形態３＞
次に、本発明の実施の形態３を図２０及び図２１に基づいて説明する。
【００４１】
図２０は本発明の実施の形態３に係る浴槽を斜め下方から見た部分斜視図、図２１は同浴槽の設置構造を示す部分斜視図であり、本実施の形態に係る浴槽１の下面には、図２０に示すように、枠状の既設のリブ３が垂直下方に向かって一体に突設されている。
【００４２】
上記リブ３には、浴槽１の短手方向に延びる複数の縦リブ３ａが浴槽１の長手方向に適当な間隔で設けられており、これらの縦リブ３ａの長手方向両端には位置決め凹部を構成する矩形の切欠き４”がそれぞれ形成されている。
【００４３】
他方、図２１に示すように、床面ＦＬ上には矩形枠状のフレーム５が水平に設置されており、このフレーム５には複数のクロス部材５ａが架設されている。そして、浴槽１は、図２１に示すように、その下面の縦リブ３ａに形成された切欠き４”がフレーム５のクロス部材５ａに嵌合するようフレーム５上に載置することによって設置される。
【００４４】
以上のように、本実施の形態においては、浴槽１の下面に突設された既設のリブ３を利用して切欠き４”を形成し、該切欠き４”を床面ＦＬ上に設置されたフレーム５のクロス部材５ａに嵌合させることによって浴槽１をフレーム５上に載置するようにしたため、浴槽１のリブ３やフレーム５への孔加工が不要となり、ボルト等の締結具を用いることなく、浴槽１の下面に形成された切欠き４”をフレーム５のクロス部材５ａに嵌合させて該フレーム５上に載置するだけで浴槽１の設置が完了するため、浴槽１を施工性良く短時間で設置することができ、施工時間の短縮と施工コストの削減を図ることができるという効果が得られる。
【図面の簡単な説明】
【００４５】
【図１】本発明の実施の形態１に係るフレームが嵌合された浴槽の斜視図である。
【図２】本発明の実施の形態１に係るフレームが嵌合された浴槽の底面側斜視図である。
【図３】本発明の実施の形態１に係るフレームの浴槽への嵌合要領を示す浴槽の底面側斜視図である。
【図４】本発明の実施の形態１に係る支持脚が結着されたフレームの斜視図である。
【図５】本発明の実施の形態１に係るフレームと支持脚を分解して示す斜視図である。
【図６】本発明の実施の形態１に係る洗い場パンの斜視図である。
【図７】本発明の実施の形態１に係る洗い場パンの底面側斜視図である。
【図８】本発明の実施の形態１に係る洗い場パン底面の分解斜視図である。
【図９】本発明の実施の形態１に係る浴槽と洗い場の組付要領を示す底面側分解斜視図である。
【図１０】本発明の実施の形態１に係る組付一体化された浴槽と洗い場の底面側斜視図である。
【図１１】図１０のＡ部の一部を破断して示す斜視図である。
【図１２】本発明の実施の形態１において組付一体化された浴槽と洗い場パンの斜視図である。
【図１３】本発明の実施の形態１において組付一体化された浴槽と洗い場パンの底面側図である。
【図１４】図１３のＢ−Ｂ線断面図である。
【図１５】図１４のＣ−Ｃ線断面図である。
【図１６】図１５のＤ部拡大詳細図である。
【図１７】本発明の実施の形態１の変形例を示す浴槽の底面側斜視図である。
【図１８】本発明の実施の形態２に係るフレームの嵌合構造を示す浴槽の底面側斜視図である。
【図１９】本発明の実施の形態に係るフレームが嵌合された浴槽の底面側斜視図である。
【図２０】本発明の実施の形態３に係る浴槽を斜め下方から見た部分斜視図である。
【図２１】本発明の実施の形態３に係る浴槽の設置構造を示す部分斜視図である。
【符号の説明】
【００４６】
１          浴槽
２          排水口
３，３’    リブ
４，４’    凹溝（位置決め凹部）
４”        切欠き（位置決め凹部）
５，５’    フレーム
５ａ        フレームのクロス部材
６          第２の支持脚（第２の支持脚）
７          高さ調整ボルト
８，９      ナット
１０        洗い場パン
１１        差込部
１２        排水口
１３        リブ
１３ａ      リブの切欠き
１４，１５  第１の支持脚の脚部
１６，１７  第１の支持脚のプレート部
１８，１９  高さ調整用ボルト
２０，２１  ナット
２２        ネジ
２３        ネジ孔
２４        ネジ挿通孔
２５        ネジ
２６        ステー
２７        ネジ
ＦＬ        床面
【図１】
2010104627.tif 000003
【図２】
2010104627.tif 000004
【図３】
2010104627.tif 000005
【図４】
2010104627.tif 000006
【図５】
2010104627.tif 000007
【図６】
2010104627.tif 000008
【図７】
2010104627.tif 000009
【図８】
2010104627.tif 000010
【図９】
2010104627.tif 000011
【図１０】
2010104627.tif 000012
【図１１】
2010104627.tif 000013
【図１２】
2010104627.tif 000014
【図１３】
2010104627.tif 000015
【図１４】
2010104627.tif 000016
【図１５】
2010104627.tif 000017
【図１６】
2010104627.tif 000018
【図１７】
2010104627.tif 000019
【図１８】
2010104627.tif 000020
【図１９】
2010104627.tif 000021
【図２０】
2010104627.tif 000022
【図２１】
2010104627.tif 000023